(57)【要約】      （修正有）【課題】容器本体前壁前面に設けた係合子下面へ蓋体前部から垂下するフックを係合させ、容器本体前壁前面へ装着させた押釦を後方押込みすると、フック下端面を押上げて上記係合子からフックが外れるよう設けたコンパクト等容器において、押釦の後方押込みで押板に付設した弾性板がフック下部を前方押出しして上記係合子からのフック取外しが容易となるよう設けた。【解決手段】押釦の押板９の左右両側間に、平面３字形状の弾性板17を該弾性板の中間部18を前方突出させて設け、該弾性板挿入用凹部20を上記係合突条６と傾斜面13上端との間に穿設し、押釦後方押込み時に弾性板後面左右の両後方突出部19、19の後面が上記凹部の後壁面へ圧接して上記中間部18が前方移動することで、該中間部がフック４の下部を前方押出しするよう設けた。【選択図】図２
2007296046.tif 000002
【特許請求の範囲】
【請求項１】
押板９後面から屈曲部を介して押圧子11を後方突出する押釦８を、前後方向への摺動自在に容器本体前壁前面へ装着させて、上記押圧子11を、前壁前面から前方突出するガイド板12上面が形成する斜下前方への傾斜面13上へ載置し、又該ガイド板12上方の前壁前面へ付設した係合突条６へ、蓋体前部から垂下させたフック４の爪５を係合させ、
上記押釦後方押込みで、傾斜面に沿って上昇した押圧子11の後端部がフック下端面を押上げて係合突条６から離脱可能に形成したコンパクト等容器において、
上記押板９の左右両側から上方からみてほぼ３字形状の弾性板17を、該弾性板の両端を押板両側に連結させて突出させ、又該弾性板17挿入用凹部20を上記係合突条６と傾斜面13上端との間の本体前壁部分へ穿設して、上記押釦装着状態からの後方押込みで、弾性板後面の左右両部に形成される後方突出部19、19が凹部20の後壁に圧接して弾性変形することで弾性板17の中間部18が前進して上記フック４の下部を前方押出し可能に形成した
ことを特徴とするコンパクト等の容器。
【請求項２】
上記中間部18がフック４の前方押出しを開始した後に、傾斜面13を摺動して上昇する押圧子11後端部上面がフック下端面を押上げ可能に形成した
ことを特徴とする請求項１記載のコンパクト等容器。
【請求項３】
上記ガイド板12下方の前壁部分に前面開口の台板挿入用凹部20を穿設し、又押釦の押板９下端部から後端部下面に係合突子21を付設した台板15を上記挿入用凹部内へ進退自在に挿入させ、押釦８と共に台板15が前進したとき上記係合突子21が凹部内下面に形成した後向き段部14ａへ係合して押釦８の前方抜出しを不能に形成した
ことを特徴とする請求項１又は２記載のコンパクト等容器
【発明の詳細な説明】
【技術分野】
【０００１】
本発明はコンパクト等容器に関する。
【背景技術】
【０００２】
容器本体後部に、該容器本体上面を開閉する蓋体を枢着させ、容器本体周壁の前壁前面に、押板後面から屈曲部を介して押圧子を後方突出する押釦を前後方向への摺動が自在に装着させ、上記押圧子を、前壁前面から前方突出するガイド板上面が形成する斜下前方への傾斜面へ載置し、又該ガイド板上方の前壁前面へ付設した係合子へ、蓋体前部から垂設したフックを係合させ、上記押釦後方押込みで傾斜面に沿って押圧子が上昇して該押圧子の後端部上縁がフック下端面を押上げて上記係合からフックが外れるよう設けたコンパクト等容器が知られている。（特許資料１）。  
【特許文献１】特開２００３−２１９９１０公報。
【発明の開示】
【発明が解決しようとする課題】
【０００３】
上記従来例は、押釦後方押込みにより、押釦板の後面から屈曲部を介して後方突出する押圧子が上昇傾斜面に沿って移動することでの押圧子後端部の上昇でフック下端面を押上げ、該押上げにより係合子下面に係合するフックを強制的に押上げるから、フックと係合子との係合が多いとその離脱が困難となる欠点があった。本発明は押釦後方押込みによりフックを前方移動させて、上記係合子とフックとの係合面積を少くできる弾性板を押釦に付設させ、上記押圧子によるフックの押上げが容易としたものである。
【課題を解決するための手段】
【０００４】
第１の手段として、押板９後面から屈曲部を介して押圧子11を後方突出する押釦８を、前後方向への摺動自在に容器本体前壁前面へ装着させて、上記押圧子11を、前壁前面から前方突出するガイド板12上面が形成する斜下前方への傾斜面13上へ載置し、又該ガイド板12上方の前壁前面へ付設した係合突条６へ、蓋体前部から垂下させたフック４の爪５を係合させ、
上記押釦後方押込みで、傾斜面に沿って上昇した押圧子11の後端部がフック下端面を押上げて係合突条６から離脱可能に形成したコンパクト等容器において、
上記押板９の左右両側から上方からみてほぼ３字形状の弾性板17を、該弾性板の両端を押板両側に連結させて突出させ、又該弾性板17挿入用凹部20を上記係合突条６と傾斜面13上端との間の本体前壁部分へ穿設して、上記押釦装着状態からの後方押込みで、弾性板後面の左右両部に形成される後方突出部19、19が凹部20の後壁に圧接して弾性変形することで弾性板17の中間部18が前進して上記フック４の下部を前方押出し可能に形成した。
【０００５】
第２の手段として、上記第１の手段を有すると共に上記中間部18がフック４の前方押出しを開始した後に、傾斜面13を摺動して上昇する押圧子11後端部上面がフック下端面を押上げ可能に形成した。
【０００６】
第３の手段として上記第１又は第２の手段を有すると共に、上記ガイド板12下方の前壁部分に前面開口の台板挿入用凹部20を穿設し、又押釦の押板９下端部から後端部下面に係合突子21を付設した台板15を上記挿入用凹部内へ進退自在に挿入させ、押釦８と共に台板15が前進したとき上記係合突子21が凹部内下面に形成した後向き段部14ａへ係合して押釦８の前方抜出しを不能に形成した。
【発明の効果】
【０００７】
請求項１記載のようにすることで、押釦８後方押込みによる該押釦から後方突出させた弾性板17の中間部18がフック下部を前方へ押出すこととなり、よってフック下端の爪と容器本体前壁前面に設けた係合子との係合面積を少くでき、よって押釦押圧子11によるフック４の押上げが容易となる。
【０００８】
請求項２のようにすることで、上記中間部18によるフック前方押出しが容易となって押圧子11によるフック押上げが更に容易となる。
【０００９】
請求項３のようにすることで、容器本体前壁からの押釦抜け出しを確実に防止できる。
【発明を実施するための最良の形態】
【００１０】
以下図面について説明する。まず従来公知の部分について簡単に説明すると１はコンパクト等容器の容器本体で、該容器本体周壁の後部には、該容器本体上面を開閉する蓋体２がピン３で枢着させてあり、該蓋体前部からはフック４を垂下させ、該フックの下部下面に付設した爪５を容器本体周壁前壁７の上部前面へ付設した係合突条６下面へ係合させて蓋体閉塞状態を保持可能といている。
【００１１】
又容器本体前壁７の前面へは、上記フック押上げ用の押釦８が装着させてある。該押釦は、押板９の後面から屈曲部10を介して押圧子11を後方へ突出し、該押圧子を容器本体前壁から前方突出したガイド板12の前部上面へ載置させ、押板９を後方へ押込みすると、上記押圧子がガイド板12上面へ形成した、斜下前方への傾斜面13に沿って押上げられることで、その押圧子の後端部上縁がフック４下端面を押上げして、既述係合突条６へ係合する爪５を外し蓋体前部が上昇可能としている。
【００１２】
上記ガイド板12下方の前壁部分には、前面開口の台板挿入用の穴14が穿設してあり、該穴内へ押釦の押板９下端から後方突出させた台板15が挿入させてある。
【００１３】
上記構成において本願発明にあっては、既述押釦８を、図４から図６が示すように押釦の左右両側板16の各後端間に、上方からみてほぼ数字の３字形状の弾性板17を、その左右方向中間部18を前方突出させ、かつその中間部左右の両後方突出部19を後方突出させて設け、その弾性板17を、図２が示すように、既述係合突条６と傾斜面13上端との開口の前壁部分に穿設した、前面開口の凹部20内へ嵌合させた。該嵌合状態で既述後方突出部19の各後面は図２が示すように凹部20の後壁面に近接ないしほぼ接し、又このとき上記中間部18は図２が示すようにフック４の爪５下方部分後面へほぼ接するよう設け、該状態から押板９を後方へ押込みすると、図３が示すように、既述両後方突出部19、19が凹部20の後壁面へ押付けられることで中間部18が前方へ押出され、よってその中間部18の前面がフック４の爪下方部分を図３のように前方へ押出し、該押出しでフックの爪５が既述係合突条６下面から前方へ押出しされるよう設ける。尚このとき押釦の押圧子11は押釦後方押込みにより傾斜面13に沿い上昇することで、その押圧子の後面上端はフック下端面を押し上げ、よってそれ等中間部前面の前進と、押圧子後面上端の上昇とによりフック４の爪５は係合突条６から外されてフック４は押上げられる。
該状態から押釦の後方押込みを解放すると、弾性板17は弾性復帰し、よって押圧子11および弾性板の中間部17は元の位置へ復帰し、又押圧子11は傾斜面13を下降してガイド板12の前端部上面へ復帰する。
【００１４】
尚既述台板15の後端部下面へは係合突子21が付設してあって、押釦復帰時に既述穴14内下面に設けた後向き段部14ａへ係合して該押釦８の前方抜出しを防止する。
【図面の簡単な説明】
【００１５】
【図１】本発明容器の縦断面図である。
【図２】図１要部の拡大断面図である。
【図３】図２状態から押釦を後方押込みした状態で示す拡大縦断面図である。
【図４】上記容器に使用する押釦の斜視図である。
【図５】図４押釦の平面図である。
【図６】図５押釦の後面図である。
【符号の説明】
【００１６】
１  容器本体            ４  フック
６  係合突条            ８  押釦
10  屈曲部              11  押圧子
12  ガイド板            13  傾斜面
15  台板                17  弾性板
18  中間部              19  後方突出部
【図１】
2007296046.tif 000003
【図２】
2007296046.tif 000004
【図３】
2007296046.tif 000005
【図４】
2007296046.tif 000006
【図５】
2007296046.tif 000007
【図６】
2007296046.tif 000008